【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
ポリオール剤Ｋ１とポリイソシアネート剤Ｋ２とからなる２剤型ポリウレタン組成物であって、
前記ポリオール剤Ｋ１が、
１１０ｍｇ  ＫＯＨ／ｇ〜２００ｍｇ  ＫＯＨ／ｇのＯＨ価を有する、リシナス油とケトン樹脂との、少なくとも１種の反応生成物Ａ１と、
少なくとも１種の脂肪族トリオールＡ２とを含み、
前記ポリイソシアネート剤Ｋ２が、
少なくとも１種の芳香族ポリイソシアネートＢ１を含み、
重量パーセント比（Ａ１／Ａ２）が４〜５０であり、前記芳香族ポリイソシアネートＢ１のＮＣＯ基全てと、（Ａ１＋Ａ２）の合計のＯＨ基全てとの比が１．１５：１〜０．８５：１であり、
前記脂肪族トリオールＡ２が、
１，２，３−プロパントリオール、及び／又は、
１，１，１−トリメチロールプロパン、及び／又は、
１７０ｇ／ｍｏｌ〜５００ｇ／ｍｏｌの分子量、及び４００ｍｇ  ＫＯＨ／ｇ〜１１００ｍｇ  ＫＯＨ／ｇのＯＨ価を有する、１，１，１−トリメチロールプロパンを基本構成とするポリエーテルポリオールであり、
（Ａ１＋Ａ２）のＯＨ基全ての合計が、前記２剤型ポリウレタン組成物のＯＨ基全ての合計の９０％以上である、２剤型ポリウレタン組成物。
【請求項２】
前記脂肪族トリオールＡ２が、１，２，３−プロパントリオールであることを特徴とする、請求項１に記載の２剤型ポリウレタン組成物。
【請求項３】
前記脂肪族トリオールＡ２が、１，１，１−トリメチロールプロパンであることを特徴とする、請求項１に記載の２剤型ポリウレタン組成物。
【請求項４】
前記脂肪族トリオールＡ２が、１７０ｇ／ｍｏｌ〜５００ｇ／ｍｏｌの分子量、及び４００ｍｇ  ＫＯＨ／ｇ〜１１００ｍｇ  ＫＯＨ／ｇのＯＨ価を有する、１，１，１−トリメチロールプロパンを基本構成とするポリエーテルポリオールのみからなることを特徴とする、請求項１に記載の２剤型ポリウレタン組成物。
【請求項５】
重量パーセント比（Ａ１／Ａ２）が、３５〜４であることを特徴とする、請求項１〜４のいずれか一項に記載の２剤型ポリウレタン組成物。
【請求項６】
重量パーセント比（Ａ１／Ａ２）が、２０〜４であることを特徴とする、請求項１〜４のいずれか一項に記載の２剤型ポリウレタン組成物。
【請求項７】
重量パーセント比（Ａ１／Ａ２）が、１４〜４であることを特徴とする、請求項１〜４のいずれか一項に記載の２剤型ポリウレタン組成物。
【請求項８】
重量パーセント比（Ａ１／Ａ２）が、５０〜２０であることを特徴とする、請求項１〜７のいずれか一項に記載の２剤型ポリウレタン組成物。
【請求項９】
重量パーセント比（Ａ１／Ａ２）が、５０〜３５であることを特徴とする、請求項１〜７のいずれか一項に記載の２剤型ポリウレタン組成物。
【請求項１０】
前記芳香族ポリイソシアネートＢ１が、ＭＤＩ及び／又はＴＤＩの総重量に対して、
モノマーのＭＤＩを４０重量％以上有する、ＭＤＩ、及び／又は、
モノマーのＴＤＩを４０重量％以上有する、ＴＤＩ、
のみからなることを特徴とする、請求項１〜９のいずれか一項に記載の２剤型ポリウレタン組成物。
【請求項１１】
前記２剤型ポリウレタン組成物中、（Ａ１＋Ａ２）に由来するものでないＯＨ基の合計が、前記２剤型ポリウレタン組成物のＯＨ基全ての合計に対して、５％以下であることを特徴とする、請求項１〜１０のいずれか一項に記載の２剤型ポリウレタン組成物。
【請求項１２】
前記２剤型ポリウレタン組成物中、（Ａ１＋Ａ２）に由来するものでないＯＨ基の合計が、前記２剤型ポリウレタン組成物のＯＨ基全ての合計に対して、２％以下であることを特徴とする、請求項１〜１０のいずれか一項に記載の２剤型ポリウレタン組成物。
【請求項１３】
前記２剤型ポリウレタン組成物中、（Ａ１＋Ａ２）に由来するものでないＯＨ基の合計が、前記２剤型ポリウレタン組成物のＯＨ基全ての合計に対して、１％以下であることを特徴とする、請求項１〜１０のいずれか一項に記載の２剤型ポリウレタン組成物。
【請求項１４】
前記２剤型ポリウレタン組成物中、（Ａ１＋Ａ２）に由来するものでないＯＨ基の合計が、前記２剤型ポリウレタン組成物のＯＨ基全ての合計に対して、０．５％以下であることを特徴とする、請求項１〜１０のいずれか一項に記載の２剤型ポリウレタン組成物。
【請求項１５】
前記２剤型ポリウレタン組成物中、Ｂ１に由来するものでないＮＣＯ基の合計が、前記２剤型ポリウレタン組成物のＮＣＯ基全ての合計に対して、５％以下であることを特徴とする、請求項１〜１４のいずれか一項に記載の２剤型ポリウレタン組成物。
【請求項１６】
前記２剤型ポリウレタン組成物中、Ｂ１に由来するものでないＮＣＯ基の合計が、前記２剤型ポリウレタン組成物のＮＣＯ基全ての合計に対して、２％以下であることを特徴とする、請求項１〜１４のいずれか一項に記載の２剤型ポリウレタン組成物。
【請求項１７】
前記２剤型ポリウレタン組成物中、Ｂ１に由来するものでないＮＣＯ基の合計が、前記２剤型ポリウレタン組成物のＮＣＯ基全ての合計に対して、１％以下であることを特徴とする、請求項１〜１４のいずれか一項に記載の２剤型ポリウレタン組成物。
【請求項１８】
前記２剤型ポリウレタン組成物中、Ｂ１に由来するものでないＮＣＯ基の合計が、前記２剤型ポリウレタン組成物のＮＣＯ基全ての合計に対して、０．５％以下であることを特徴とする、請求項１〜１４のいずれか一項に記載の２剤型ポリウレタン組成物。
【請求項１９】
Ａ１とＡ２との合計の割合が、前記ポリオール剤Ｋ１の総重量に対して、９０重量％以上であることを特徴とする、請求項１〜１８のいずれか一項に記載の２剤型ポリウレタン組成物。
【請求項２０】
Ａ１とＡ２との合計の割合が、前記ポリオール剤Ｋ１の総重量に対して、９５重量％以上であることを特徴とする、請求項１〜１８のいずれか一項に記載の２剤型ポリウレタン組成物。
【請求項２１】
Ａ１とＡ２との合計の割合が、前記ポリオール剤Ｋ１の総重量に対して、９９重量％以上であることを特徴とする、請求項１〜１８のいずれか一項に記載の２剤型ポリウレタン組成物。
【請求項２２】
前記芳香族ポリイソシアネートＢ１の割合が、前記ポリイソシアネート剤Ｋ２の総重量に対して、９０重量％以上であることを特徴とする、請求項１〜２１のいずれか一項に記載の２剤型ポリウレタン組成物。
【請求項２３】
前記芳香族ポリイソシアネートＢ１の割合が、前記ポリイソシアネート剤Ｋ２の総重量に対して、９５重量％以上であることを特徴とする、請求項１〜２１のいずれか一項に記載の２剤型ポリウレタン組成物。
【請求項２４】
前記芳香族ポリイソシアネートＢ１の割合が、前記ポリイソシアネート剤Ｋ２の総重量に対して、９９重量％以上であることを特徴とする、請求項１〜２１のいずれか一項に記載の２剤型ポリウレタン組成物。
【請求項２５】
接着方法であって、
請求項１〜２４のいずれか一項に記載の２剤型ポリウレタン組成物のポリオール剤（Ｋ１）と、ポリイソシアネート剤（Ｋ２）とを混合する工程と、
前記混合したポリウレタン組成物を、互いに接着させる基体表面の少なくとも一方に塗布する工程と、
オープンタイム内に貼り合わせる工程と、
前記ポリウレタン組成物を硬化させる工程と、
を含む、接着方法。
【請求項２６】
接合部及び基体内の亀裂を非確動的に充填する方法であって、
ａ）請求項１〜２４のいずれか一項に記載の２剤型ポリウレタン組成物のポリオール剤（Ｋ１）とポリイソシアネート剤（Ｋ２）とを混合する工程と、
ｂ）前記混合したポリウレタン組成物を、２つの基体間の橋渡しとなる前記接合部に、又は基体の表面上の充填すべき前記亀裂に塗布する工程と、
ｃ）前記接合部又は前記亀裂において前記ポリウレタン組成物を硬化させる工程と、
を含む、接合部及び基体内の亀裂を非確動的に充填する方法。
【請求項２７】
請求項２５に記載の方法により接着された、接着物品。
【請求項２８】
請求項２６に記載の方法により充填された、組成物を充填した物品。